(57)【要約】【課題】構造が単純であって製造が容易であるので製造コストが低く、開閉作動が円滑であり、ゴルフクラブの大きさを問わずに使用可能なので使用し易い、ゴルフクラブ用ヘッドカバーを提供。【解決手段】ゴルフクラブ用ヘッドカバーにおいて、前記ゴルフクラブ用ヘッドカバーは、開閉羽が弾性手段の弾性展開力によって展開される開閉フレームと、前記開閉フレームが内部に配置され、ゴルフクラブを収納するための出入口および収納空間を有するヘッドカバー本体と、前記ヘッドカバー本体の中間の外側面に固定され、前記開閉フレームによって開放された前記ヘッドカバー本体の出入口を閉鎖させるロック部とを含んでなる、ゴルフクラブ用ヘッドカバーを提供する。【選択図】図４
2009125585.tif 000002
【特許請求の範囲】
【請求項１】
ゴルフクラブ用ヘッドカバーにおいて、
前記ゴルフクラブ用ヘッドカバーは、
開閉羽が弾性手段の弾性展開力によって展開される開閉フレームと、
前記開閉フレームが内部に配置され、ゴルフクラブを収納するための出入口および収納空間を有するヘッドカバー本体と、
前記ヘッドカバー本体の中間の外側面に固定され、前記開閉フレームによって開放された前記ヘッドカバー本体の出入口を閉鎖させるロック部とを含んでなることを特徴とする、ゴルフクラブ用ヘッドカバー。
【請求項２】
前記開閉フレームは、
縦方向に取付けされる円弧形の一対の開閉羽と、
前記開閉羽と結合し、両端部には縦方向に設けられたヒンジ溝を有する半円形の開閉羽支持部と、
前記各開閉羽に両端部が結合し、展開方向に弾性展開力を加える一対の弾性手段とを含むことを特徴とする、請求項１に記載のゴルフクラブ用ヘッドカバー。
【請求項３】
前記開閉フレームは、前記開閉羽と前記開閉羽支持部とが一体に設けられ、前記開閉羽支持部上には縦方向にヒンジ溝が設けられ、両側端部には弾性手段が固定されたことを特徴とする、請求項２に記載のゴルフクラブ用ヘッドカバー。
【請求項４】
前記弾性手段は、板バネ、硬鋼線およびガラスファイバーの中から選ばれたいずれか一つであることを特徴とする、請求項１または２に記載のゴルフクラブ用ヘッドカバー。
【請求項５】
前記開閉フレームの内部または前記ヘッドカバー本体の内部に、前記開閉フレームの展開角度を制限する制限部が設けられていることを特徴とする、請求項２または３に記載のゴルフクラブ用ヘッドカバー。
【請求項６】
前記開閉フレームの展開角度は７０°〜１２０°であることを特徴とする、請求項５に記載のゴルフクラブ用ヘッドカバー。
【請求項７】
前記開閉フレームの展開角度は８０°〜１００°であることを特徴とする、請求項６に記載のゴルフクラブ用ヘッドカバー。
【請求項８】
ゴルフクラブ用ヘッドカバーにおいて、
前記ゴルフクラブ用ヘッドカバーは、展開および折畳可能な開閉翼を有する開閉フレームと、前記開閉フレームが内部に配置され、ゴルフクラブを収納するための出入口および収納空間を有するヘッドカバー本体とを含み、
前記開閉フレームは、
縦方向に延長され、収納空間が設けられる断面を有し、Ｖ字状のノッチ溝によって分割開閉される一対の開閉羽と、
前記開閉羽間の中間に設けられ、Ｖ字状ノッチ溝の上部と下部の中間部分で前記開閉羽を開閉作動させる開閉作動バーと、
前記一側の開閉羽の上下部に設けられた固定孔に一端部が固定され、他端部は他の開閉羽の固定孔に固定されることにより、前記開閉羽を閉鎖状態で保持する湾曲状態の弾性手段とを含んでなることを特徴とする、ゴルフクラブ用ヘッドカバー。
【請求項９】
前記開閉作動バーは、その上側面と下側面には前記開閉羽と分離されるように断絶部が設けられ、
前記開閉作動バーを構成する一対の開閉作動板の両側面には前記開閉羽に連結されるようにＶ字状の端部ノッチ溝が設けられ、前記開閉作動板の互いに連接した中間にはＶ字状の中央ノッチ溝が設けられることにより、前記開閉羽と前記開閉作動バーが前記中央ノッチ溝と前記端部ノッチ溝によって一体に連結されたことを特徴とする、請求項８に記載のゴルフクラブ用ヘッドカバー。
【請求項１０】
前記開閉作動バーの中央ノッチ溝の位置は、前記開閉羽のノッチ溝より上方に位置し、前記開閉羽の開閉作動が容易となるように設定されることを特徴とする、請求項９に記載のゴルフクラブ用ヘッドカバー。
【請求項１１】
前記弾性手段は、板バネ、硬鋼線およびガラスファイバーの中から選ばれたいずれか一つであることを特徴とする、請求項８に記載のゴルフクラブ用ヘッドカバー。
【請求項１２】
前記弾性手段は、円形に湾曲させ、常に開閉羽が閉じられた状態を維持するように閉方向に力を加えており、別途のロック装置を必要としない構造を持つことを特徴とする、請求項１１に記載のゴルフクラブ用ヘッドカバー。
【請求項１３】
前記開閉作動バーを構成する一対の開閉作動板の両側面には前記開閉羽に連結されるようにＶ字状の端部ノッチ溝が設けられ、前記開閉作動板の前記端部ノッチ溝に隣接した端部には上昇防止部が設けられることを特徴とする、請求項９に記載のゴルフクラブ用ヘッドカバー。
【請求項１４】
ゴルフクラブ用ヘッドカバーにおいて、
前記ゴルフクラブ用ヘッドカバーは、開閉フレームの開閉羽が弾性手段の閉鎖弾性力によって常に閉鎖される方向に閉鎖弾性力が加えられて閉鎖されていることを特徴とする、請求項１または８に記載のゴルフクラブ用ヘッドカバー。
【発明の詳細な説明】
【技術分野】
【０００１】
本発明は、ゴルフクラブ用ヘッドカバーに係り、さらに具体的には、ヘッドカバーの内側にはヘッドカバーを開閉させる開閉フレームが挿着され、この開閉フレームの挿着されたヘッドカバーの開閉動作を片手で行うことができるようになっており、一方の手ではゴルフクラブ、もう一方の手ではヘッドカバーをそれぞれ取って使用することができるため、ゴルフクラブ用ヘッドカバーの着脱が便利であるとともに、開閉フレームの構造が簡単であるため、製造コストが低いゴルフクラブ用ヘッドカバーに関する。
【背景技術】
【０００２】
ゴルフグラブ用ヘッドカバーは、多様な形態のものが提案されている。一般に、ゴルフクラブ用ヘッドカバーは、ゴルフクラブＣのヘッドＨに被せる布製のものが大部分である。この種のヘッドカバーは、図１に示すように、ゴルフクラブのヘッドＨから被せてシャフトＳの上側部まで包むことができるように袋状に成形され、ゴルフクラブのヘッドＨおよびシャフトＳの容易な出し入れのために切開部が長手方向に沿って設けられ、この切開部にスライドファスナーＺが取り付けられた構成で出来ており、ヘッドカバーＡのスライドファスナーＺを開けてゴルフクラブを挿入した後、さらにスライドファスナーＺを閉じると、ゴルフクラブのヘッドＨとシャフトＳの上側部を保護することが可能な構造である。ところが、このようなヘッドカバーＡは、使用時ごとに両手を用いてスライドファスナーＺを開閉しなければならないため、面倒で不便であるという問題点がある。
【０００３】
このような問題点を解消するために、図２に示すように、本出願人の特許文献１は、折り曲げさせて開閉する方式のヘッドカバーを提案したが、カバー自体の弾性力のみを利用するため弾性復元力が弱くて開閉作動が円滑でなく、このようなヘッドカバー上に保護布を被せるなどしてヘッドカバーの厚さが厚くなると、ヘッドカバーの作動がさらに円滑にならないうえ、ヘッドカバーの開閉の際にはヘッドカバーの開閉のためにヘッドカバーを折り曲げさせなければならないが、このような折曲作動が円滑でなくて片手による開閉作動が非常に難しく、ゴルフクラブの挿入のためにヘッドカバーを開けたとき、ヘッドカバーの中心のヒンジ部が山のように突き出るので、ゴルフクラブの挿入が不便であり、このような突出によって収納の際にゴルフクラブの横滑り現象が発生するなど、使用上不便な点があった。
【０００４】
また、特許文献２は、図３に示すように、ヒンジ部を有し且つヒンジピンによってヒンジ固定された一対のヘッドカバーを開示しているが、このヘッドカバーも、ヘッドカバーを開けたとき、ヘッドカバーの中心のヒンジ部が山のように突き出るので、ゴルフクラブの挿入が不便であり、このような突出によって収納の際にゴルフクラブの横滑り現象が発生するなど、使用上不便な点があった。また、ゴルフクラブヘッドの収納部が上面部Ｆ１、側面部Ｆ２および底面部Ｆ３からなり、モールド成形による射出製品として製造されるので、メーカー別にクラブヘッドの大きさが一定でなく、その大きさの差が相当にあるので、このような射出製品では互換性がなくて使用が不便であり、多数のモデルを必要とするなどの問題点があって使用が不便であった。
【０００５】
また、出願人によって開発された多数のヘッドカバーも、それぞれの特性があるが、実際使用するにおいて様々な問題点、例えばゴム紐の使用の場合、ゴム紐の耐久年限が非常に短い点と、ゴム紐が常に全長にわたってヘッドカバーに接触してヘッドカバーにくっ付くことになり、作動力が一定にならなくて発生する力の不均衡による不均一な作動などの問題点が多く、ヘッドカバーの製造コストが高くて商品化がなされていない実情である。
【特許文献１】米国特許第６，２０２，７２３号明細書
【特許文献２】米国特許第６，１１９，７４２号明細書
【発明の開示】
【発明が解決しようとする課題】
【０００６】
そこで、本発明は、このような問題点に鑑みてなされたもので、その目的とするところは、構造が単純であって製造が容易であるので製造コストが低く、開閉作動が円滑であり、ゴルフクラブの大きさを問わずに使用可能なので使用し易い、ゴルフクラブ用ヘッドカバーを提供することにある。
【課題を解決するための手段】
【０００７】
上記目的を達成するために、本発明によれば、ゴルフクラブのヘッドを保護し、ゴルフクラブヘッドに着脱可能に被せるゴルフグラブ用ヘッドカバーにおいて、ゴルフクラブヘッドに覆い被せるヘッド保護用頭部、およびヘッド保護用頭部から下方に取付けされ、シャフトを包む織物材質のシャフトカバー部からなる保護蓋と、前記保護蓋内に挿着されるもので、縦方向に沿って設けられた開閉用ヒンジ溝、前記ヒンジ溝を中心に開閉可能に設けられた開閉羽、および前記ヒンジ溝の上下または左右に設けられ、開放させる方向に保持する弾性手段からなる開閉フレームとを含む、ゴルフクラブ用ヘッドカバーを提供する。
【発明の効果】
【０００８】
本発明のゴルフクラブ用ヘッドカバーは、ゴルフクラブヘッドに覆い被せるヘッド保護用頭部、およびヘッド保護用頭部から下方に取付けされ、シャフトを包む織物材質のシャフトカバー部からなる保護蓋と、前記保護蓋内に挿着されるもので、縦方向に沿って設けられた開閉用ヒンジ溝、前記ヒンジ溝を中心に開閉可能に設けられた開閉羽、および前記ヒンジ溝の上下または左右に設けられ、開放させる方向に保持する弾性手段からなる開閉フレームとを含んでなることにより、構造が単純であって製造が容易であるので製造コストが低く、開閉作動が円滑であり、ゴルフクラブの大きさを問わずに使用可能なので使用し易いという優れた効果がある。
【発明を実施するための最良の形態】
【０００９】
以下に添付図面を参照しながら、本発明の好適な実施の形態について詳細に説明する。
本発明の第１実施例に係るゴルフクラブ用ヘッドカバーＡは、図４〜図７に示すように、展開および折畳可能な開閉羽１１を有する開閉フレーム１と、前記開閉フレーム１が内部に配置され、ゴルフクラブＧを収納するための出入口および収納空間を有するヘッドカバー本体２と、前記ヘッドカバー本体２の中間の外側面に固定され、前記ヘッドカバー本体２の出入口を開閉させるロック部３とを含む。
【００１０】
本実施例において、前記開閉フレーム１は、図６および図７に示すように、縦方向に取付けされる円弧形の一対の開閉羽１１と、前記開閉羽１１と結合し、両端部には縦方向に設けられたヒンジ溝１２ａを有する半円形の開閉羽支持部１２と、前記開閉羽支持部１２の上下に配置され、前記開閉羽１１と両端部が結合し、展開方向に弾性力を発生させる一対の弾性手段１３とを含む。
【００１１】
本実施例では、前記開閉羽１１は硬質の合成樹脂から製造される。各開閉羽１１の一側端部には、開閉羽支持部１２と弾性手段１３を固定するための固定溝１１ｂが設けられている。本実施例において、前記開閉羽支持部１２と弾性手段１３はリベット作業によって前記開閉羽１１と結合する。
【００１２】
図１０は開閉フレーム１の第２実施例を示すもので、開閉羽１１と開閉羽支持部１２とが合成樹脂を用いて一体に形成され、開閉羽支持部１２上には縦方向に沿ってヒンジ溝１２ａが取付けされ、開閉羽支持部１２の上下方に弾性手段１３が設けられることにより、開閉フレーム１の構造をより単純にすることが可能な構造である。前記実施例では、材質を合成樹脂に制限したが、これに限定されない。
【００１３】
本実施例では、前記弾性手段１３は、板バネを使用したが、これに限定されず、弾性ワイヤまたは弾性力のあるガラスファイバーまたは棒状ガラスファイバーなどの材質も使用できる。
【００１４】
前記開閉フレーム１の対向する開閉羽１１上には、開閉フレーム１の展開角度を制限する制限部１４が設けられている（図８ａおよび図８ｂに示す）。前記開閉フレーム１の好適な展開角度は、両側の開閉羽１１の端部からヒンジ溝１２ａまでの角度であって、約９０°内外が好ましいが、展開角度約７０°〜１２０°では片手による作動には無理がないが、一般に展開角度７０°以下であれば、ゴルフクラブＧの挿入が不便であり、１２０°超過であれば、片手でヘッドカバーを閉じることが不便または不可能である。したがって、このような開閉フレームの展開角度は制限部１４の幅によって決定できる。本実施例では、制限部１４が開閉羽の両端に固定されたものと記述されたが、これに限定されず、後述するヘッドカバー本体２の出入口２３上に設置されることも可能である。
【００１５】
前記開閉フレーム１の向かい合う開閉羽１１の連接部１１ａは平らな偏平面からなっている。よって、ヘッドカバー本体２の閉鎖の際に、各開閉羽１１が互にずれることなく相接する。
【００１６】
前記ヘッドカバー本体２は、ゴルフクラブＧのヘッドＧ１に覆い被せるヘッド保護用頭部２１、およびヘッド保護用頭部２１から下方に取付けされ、ゴルフクラブＧのシャフトＧ２を包む織物材質のシャフトカバー部２２を含む。ここで、シャフトカバー部の材質は、合成樹脂であってもよい。
【００１７】
また、前記ヘッドカバー本体２は、図４および図５に示すように、ゴルフクラブＧを収納するための出入口２３および収納空間２４が設けられ、外部に露出される外皮２ａと、ゴルフクラブＧと接し且つ収納空間２４を限定する内皮２ｂとからなっている。
【００１８】
前記ヘッドカバー本体２の出入口２３には四角断面の合成樹脂製補強部２３ａが向かい合うように設置されることにより、前記ヘッドカバーＡの開閉作動の際に出入口２３の上端部から下端部まで一体に作動できるようにし、ヘッドカバー本体２の閉鎖の際に互にずれることなく相接するように閉鎖される構造を持つ。本実施例において、前記ヘッドカバー本体２は、頭部２１とシャフトカバー部２２がほぼ一直線上に位置する部分に出入口２３が設けられている。ところが、第３実施例によれば、図１１に示すように、ヘッドカバー本体２の膨出した頭部２１およびこの頭部２１に連結されるシャフトカバー部２２に出入口２３が設けられていることも可能である。
【００１９】
前記ロック部３は、前記ヘッドカバー本体２の外皮２ａの中間で前記ヘッドカバー本体２の出入口２３を包囲するように固定されている。前記ロック部３の一側のロック片３１の自由端部３ａには磁石３１ａが設置されており、固定部３ｂは外皮２ａに固定され、他方のロック片３１の自由端部３ａ’にも磁石３１ａが設置されており、固定部３ｂは外皮２ａに固定されている。前記ロック片３１の磁石３１ａが設置された自由端部３ａ、３ａ’は合成樹脂から形成され、固定部３ｂは織物材で出来ている。前記一側のロック片３１の自由端部３ａの前記磁石３１ａを固定する固定本体３１ｂの一側面には掛け止め突起３１ｃが設けられ、前記他側のロック片３１の自由端部３ａ’の固定本体３１ｂは前記
掛け止め突起３１ｃに固定される。前記ロック部３の結合は、磁石３１ａ同士が磁力によって自動的に結合することによりなされる。前記ロック部３の結合解除は、磁石３１ａを引き離しまたは押圧することによりなされる。
【００２０】
次に、このような構成を持つ本発明の第１実施例に係るゴルフクラブ用ヘッドカバーＡの作動について説明する。
ゴルフクラブＧのヘッドカバーＡへの収納の際に、弾性手段１３の弾性支持力が発揮されてヘッドカバーＡの出入口２３が開放され、制限部１４によって約９０°開放された状態でゴルフクラブＧをヘッドカバー本体２の収納空間２４に押し込んだ後、ヘッドカバーＡを取った手でヘッドカバーＡを閉めると、弾性手段１３の弾性反発力を克服しながらヘッドカバーＡ内の開閉フレーム１が開閉羽支持部１２のヒンジ溝１２ａを中心に回動してヘッドカバーＡの出入口が閉鎖され、このような状態で一緒に動くロック部３の両側の自由端部３ａ、３ａ’の固定本体３１ｂが互いに接して固定本体３１ｂ上の磁石３１ａ同士が互いに引き付けて結合することにより、ヘッドカバーＡの結合が終了する。
【００２１】
もしこのようにヘッドカバーＡが結合した状態でゴルフクラブＧを取り出そうとする場合、片手ではヘッドカバーＡ、もう片手ではゴルフクラブＧをそれぞれ取った状態で、ヘッドカバーＡを取った手の指でロック部３の互いに結合したロック片３１を押圧すると、容易にロック部３のロック片３１が互いに分離される。このようにロック片３１が分離されながら、弾性手段１３の弾性反発力が作用して開閉フレーム１の開閉羽１１が展開されることにより、ヘッドカバーＡの出入口２３が開放される。このように開放されると、上述した方式によってゴルフクラブＧを収納させると、片手でゴルフクラブの取出しまたは収納を容易に行うことが可能である。
【００２２】
本発明の第４実施例に係るゴルフクラブ用ヘッドカバーＡは、図１２〜図１５に示すように、展開および折畳可能な開閉羽１１０を有する開閉フレーム１００と、前記開閉フレーム１００が内部に配置され、ゴルフクラブＣを収納するための出入口２００ａおよび収納空間２００ｂを有するヘッドカバー本体２００とを含む。
【００２３】
本実施例において、前記開閉フレーム１００は、図１３ａおよび図１３ｂに示すように、縦方向に延長され、円弧形の断面を有し、Ｖ字状のノッチ溝１１０ａによって分割開閉される一対の開閉羽１１０、１１０と、前記開閉羽１１０、１１０間の中間に設けられ、Ｖ字状のノッチ溝１１０ａの上部と下部の中間部分で前記開閉羽１１０、１１０を開閉作動させる開閉作動バー１２０と、前記一側の開閉羽１１０に設けられた固定孔１３０に一端部が固定され、他端部は他側の開閉羽１１０の固定孔１３０に固定される、円形に近く湾曲した湾曲状態の弾性手段１５０とを含む。
【００２４】
図１３ａおよび図１３ｂに示すように、開閉羽１１０、１１０が互いに分割されて分離されまたは相接する分割面１１０ｂ、１１０ｂは、上方から下方に傾設されており、掌の面を広く開閉フレーム１００上に載せることができるので、開閉フレーム１００の開閉作動を容易に行うことが可能な構造で出来ている。また、図１４に示すように、一側の開閉羽１１０の上部には、開閉フレーム１００の支持を容易に行うことができるように平らな支持面１１０ｃが設けられている。
【００２５】
前記開閉羽１１０、１１０の上下部に設けられた固定孔１３０は、四角形をし、前記弾性手段１５０の一端部が固定されるが、円形にしてもよい。本実施例では、このように固定孔１３０に弾性手段１５０の折曲端部１５１が固定されたものとして記載されているが、これに限定されず、図１６に示すように、開閉羽１１０、１１０の外側に設けられた多数の固定突起１１７に弾性手段１５０が挿入されると、固定突起１１７が横に広げられて隙間が開けられた後、弾性手段１５０が挿入されると、さらに原位置に戻るスナップ結合方式で固定されることも可能である。
【００２６】
前記開閉作動バー１２０は、２つが湾曲成形された開閉作動板１２１、１２１によって連結されて半円形の断面を持つ。前記開閉作動バー１２０は、その上側面と下側面には前記開閉羽１１０、１１０と分離されるように断絶部１２０ａが設けられ、前記開閉作動バー１２０を構成する一対の開閉作動板１２１、１２１の両側面には前記開閉羽１１０、１１０に連結されるようにＶ字状のノッチ溝を有する中央ノッチ溝１２１ａが設けられることにより、開閉羽１１０、１１０と開閉作動バー１２０が中央ノッチ溝１２１ａと端部ノッチ溝１２１ｂに一体に連結された構造である。
【００２７】
前記開閉作動バー１２０は、前記２つの中央ノッチ溝１２１ａと端部ノッチ溝１２１ｂによって開閉作動する。前記中央ノッチ溝１２１ａの上方に力を加えると、図１５に示すように、開閉作動バー１２０の中央ノッチ溝１２１ａが上方に移動しながら、両側の開閉作動板１２１、１２１の他端の端部ノッチ溝１２１ｂが互いに遠ざかるように開けられて前記開閉羽１１０、１１０を押し出すので、開閉羽１１０、１１０が展開される。本実施例において、図１４に示すように、閉じられた状態では、開閉作動バー１２０の中央ノッチ溝１２１ａの位置は、開閉羽１１０、１１０のノッチ溝１１０ａより上方に位置し、開閉羽１１０、１１０の開閉作動が容易となるように設定される。また、図１４および図１５に示すように、開閉作動板１２１、１２１の端部ノッチ溝１２１ｂの端部には、開閉作動板１２１、１２１が過度に上昇することを防止するために、上昇防止部１２１ｃが設けられている。
【００２８】
本実施例では、前記弾性手段１５０は上下に２つの箇所に設置される。本実施例では、前記弾性手段１５０は、円形に湾曲させ、その端部は折り曲げられた折曲端部１５１を有する硬鋼線が採用された。前記弾性手段１５０は、バネ鋼であって、円形に近く湾曲しているので、常に開閉羽１１０、１１０が閉じられた状態を維持するように閉方向に力を加えている。よって、開閉フレーム１００が内装された本発明のヘッドカバーＡは常に閉じられているので、別途のロック装置を必要としない構造を持つことが大きい特徴である。
【００２９】
前記弾性手段１５０は、開閉フレーム１００の外面に位置する。弾性手段１５０は、ヘッドカバーＡの開閉の際に柔らかい弾性をもって作動するように、直径の太い硬鋼線よりは直径の細い幾つかの硬鋼線を使用しているが、場合に応じては直径の太い硬鋼線を使用してもよい。
【００３０】
前記開閉作動バー１２０は、２つの開閉作動板１２１、１２１が中央ノッチ溝１２１ａによって連結され、中央ノッチ溝１２１ａを中心に回動可能な構造である。さらに、前記開閉作動板１２１、１２１の両側面は、端部ノッチ溝１２１ｂによって開閉羽１１０、１１０に連結されて回動する構造である。
【００３１】
次に、このような構成を持つ本発明の第４実施例に係るゴルフクラブ用ヘッドカバーＡの作動について説明する。
ゴルフクラブのヘッドＨをゴルフクラブ用ヘッドカバーＡに収納させようとする場合、図１４に示した状態で、ヘッドカバーＡを手で取り、指Ｆ２に上方に力を加えることにより、開閉作動バー１２０の中間の中央ノッチ溝１２０を上方に押し上げると、上方に押し上げる力が弾性手段１５０の弾性支持力より大きくなる瞬間、弾性手段１５０の弾性支持力が弱くなりながら、前記中央ノッチ溝１２１ａが上方に上昇し、前記中央ノッチ溝１２１ａと一体に連結された一対の開閉作動板１２１、１２１は横に広げられる力を受けるので、開閉作動板１２１、１２１が横に広げられる。
【００３２】
このように開閉作動板１２１、１２１が広げられると同時に、Ｖ字状のノッチ溝１２１ｂと一体に結合した開閉羽１１０、１１０が同時に広げられながらヘッドカバーＡのヘッドカバー本体２００が開けられることにより、ゴルフクラブＣを収納するための出入口２００ａが開放される。このように出入口２００ａが開放されると同時に、収納空間２００ｂがゴルフクラブＣを収容することが可能になる（図１５に示す）。
【００３３】
このように出入口２００ａが開放された状態でゴルフクラブＣを収納空間２００ｂに挿入した後、指の力を除去すると、弾性手段１５０の弾性力が発揮されながら、開閉フレーム１００はＶ字状のノッチ溝１１０ａを中心に回動する。その結果、ヘッドカバー本体２００の出入口２００ａが閉じられて収納空間２００ｂが閉鎖されるので、一般なゴルフクラブの使用者はゴルフクラブＣを容易にゴルフクラブ用ヘッドカバーＡに収納させることができる。
同様に、ゴルフクラブＣがヘッドカバーＡに収納された状態で、ゴルフクラブＣを取り出そうとする場合にも、開閉作動バー１２０を押すと、開閉作動バー１２０と一体に連結された開閉羽１１０、１１０が広げられながらヘッドカバーＡのヘッドカバー本体２００が開けられることにより、ゴルフクラブのヘッドＨが収納されている出入口２００ａが開放され、これと同時にゴルフクラブＣの収納されている収納空間２００ｂが開けられ、ゴルフクラブＣを取り出すことができる。
【００３４】
このような状態でゴルフクラブＣを取り出した後、指の力を除去すると、弾性手段１５０の弾性反発力が作用して開閉フレーム１００が閉鎖されるので、便利にゴルフクラブＣの出し入れを行うことができる。
【産業上の利用可能性】
【００３５】
本発明に係るゴルフクラブ用ヘッドカバーは、反復的な製造が可能な物品であって、産業上の利用可能性が高い発明である。
【図面の簡単な説明】
【００３６】
【図１】従来のゴルフクラブ用ヘッドカバーの斜視図である。
【図２】従来の他のゴルフクラブ用ヘッドカバーの斜視図である。
【図３】従来の別のゴルフクラブ用ヘッドカバーの斜視図である。
【図４】本発明の第１実施例に係るゴルフクラブ用ヘッドカバーの斜視図である。
【図５】図４に示したゴルフクラブ用ヘッドカバーの出入口が開放された状態を示す斜視図である。
【図６】本発明の第１実施例に係るゴルフクラブ用ヘッドカバー内に固定される開閉フレームの斜視図である。
【図７】図６に示した開閉フレームの分解斜視図である。
【図８ａ】本発明の第１実施例に係るゴルフクラブ用ヘッドカバーの作動を示す1つの概略断面図である。
【図８ｂ】本発明の第１実施例に係るゴルフクラブ用ヘッドカバーの作動を示す他の概略断面図である。
【図９】本発明の第１実施例に係るゴルフクラブ用ヘッドカバーのロック部の斜視図である。
【図１０】本発明の第２実施例に係る開閉フレームの斜視図である。
【図１１】本発明の第３実施例に係るゴルフクラブ用ヘッドカバーの斜視図である。
【図１２】本発明の第４実施例に係るゴルフクラブ用ヘッドカバーの斜視図である。
【図１３ａ】図１２に使用された開閉フレームの閉鎖状態の斜視図である。
【図１３ｂ】図１２に使用された開閉フレームの開放状態の斜視図である。
【図１４】図１３ａのI−I線に沿った開閉フレームの縦断面図である。
【図１５】図１３ｂのII−II線に沿った開閉フレームの縦断面図である。
【図１６】本発明の第５実施例に係るゴルフクラブ用開閉フレームの斜視図である。
【符号の説明】
【００３７】
１      開閉フレーム
２      ヘッドカバー本体
３      ロック部
１１    開閉羽
１２    開閉羽支持部
１３    弾性手段
２１    ヘッドカバーの頭部
２２    シャフトカバー部
２３    ヘッドカバーの出入口
【図１】
2009125585.tif 000003
【図２】
2009125585.tif 000004
【図３】
2009125585.tif 000005
【図４】
2009125585.tif 000006
【図５】
2009125585.tif 000007
【図６】
2009125585.tif 000008
【図７】
2009125585.tif 000009
【図８ａ】
2009125585.tif 000010
【図８ｂ】
2009125585.tif 000011
【図９】
2009125585.tif 000012
【図１０】
2009125585.tif 000013
【図１１】
2009125585.tif 000014
【図１２】
2009125585.tif 000015
【図１３ａ】
2009125585.tif 000016
【図１３ｂ】
2009125585.tif 000017
【図１４】
2009125585.tif 000018
【図１５】
2009125585.tif 000019
【図１６】
2009125585.tif 000020